【手続補正書】
【提出日】平成17年12月16日(2005.12.16)
【手続補正１】
【補正対象書類名】特許請求の範囲
【補正対象項目名】全文
【補正方法】変更
【補正の内容】
【特許請求の範囲】
【請求項１】
熱可塑性樹脂、熱硬化性樹脂、およびこれらの組み合わせから選択される樹脂のマトリックスと、マトリックス中に分散された少なくとも１種の抗菌剤とを含んでなり、抗菌剤がキトサンおよび金属、ならびにキトサンおよび金属化合物から選択される錯体を含んでなる抗菌効果を示す固体表面材料。
【請求項２】
マトリックス中に分散された少なくとも１種の充填剤を更に含んでなる請求項１に記載の固体表面材料。
【請求項３】
熱可塑性樹脂がオレフィン、ジエン、ビニルポリマー、フルオロポリマー、へテロ鎖ポリマー、およびこれらの組み合わせから選択される請求項１に記載の固体表面材料。
【請求項４】
熱可塑性樹脂が低密度ポリエチレン、高密度ポリエチレン、ポリプロピレン、ポリブタジエン、ネオプレン、ポリスチレン、アクリル、ポリ塩化ビニル、ポリテトラフルオロエチレン、ポリアミド、ポリエステル、ポリウレタン、ポリエーテル、ポリアセタール、ポリカーボネート、およびこれらの組み合わせから選択される請求項１に記載の固体表面材料。
【請求項５】
樹脂がアクリル系モノマー溶液または共重合用ビニルモノマーとアクリル系モノマーとを含有する混合モノマー溶液中に溶解されたアクリル系ポリマーを主成分として含んでなるシロップから製造される請求項１に記載の固体表面材料。
【請求項６】
熱硬化性樹脂がフェノール樹脂、アミノ樹脂、不飽和ポリエステル樹脂、エポキシ樹脂、ポリウレタン、シリコーンポリマー、およびこれらの組み合わせから選択される請求項１に記載の固体表面材料。
【請求項７】
充填剤がアルミナ三水和物、アルミナ一水和物、バイヤー（Ｂａｙｅｒ）水和物、水酸化マグネシウム、炭酸カルシウム、硫酸バリウム、ならびに石英およびその他の形態のシリカよりなる群から選択される請求項２に記載の固体表面材料。
【請求項８】
抗菌剤が外側表面で測定される抗菌効果を約２４時間以内に提供する量で存在する請求項１に記載の固体表面材料。
【請求項９】
該金属が銀、銅、亜鉛、またはこれらの化合物である請求項１に記載の固体表面材料。
【請求項１０】
アルミナ三水和物を含んでなる充填剤を更に含んでなり、そして抗菌剤がキトサンと銀または銀化合物との錯体を含んでなる請求項５に記載の固体表面材料。
【請求項１１】
シートまたは成形品の形態である請求項１に記載の固体表面材料。
【請求項１２】
圧縮成形、射出成形または押出成形によって製造される請求項１に記載の固体表面材料。
【請求項１３】
請求項１に記載の固体表面材料を含んでなるシンク。
【請求項１４】
請求項１に記載の固体表面材料を含んでなるカウンタートップ。
【請求項１５】
請求項１に記載の固体表面材料を含んでなるテーブルトップ。
【請求項１６】
請求項１に記載の固体表面材料を含んでなる筆記用具。
【請求項１７】
請求項１に記載の固体表面材料を含んでなる壁。
【請求項１８】
該壁がバスタブまたはシャワーの要素である請求項１７に記載の壁。
【請求項１９】
請求項１に記載の固体表面材料を含んでなるシャワーベース。
【請求項２０】
請求項１に記載の固体表面材料を含んでなる壁、シンク、化粧テーブル、カウンター、バスタブ、シャワー室またはテーブルトップを設備することを含んでなり、該固体表面材料が浴室、トイレ、または化粧室に普通に存在する微生物にさらされる可能性がある浴室、トイレ、または化粧室中の固体表面における微生物増殖の低減方法。
【請求項２１】
請求項１に記載の固体表面材料を含んでなる壁、シンク、カウンタートップ、テーブル、テーブルトップ、シャワー室、またはバックスプラッシュを設備することを含んでなり、該固体表面が医療施設に普通に存在する微生物にさらされる可能性がある医療施設の固体表面における微生物増殖の低減方法。
【請求項２２】
請求項１に記載の固体表面材料を含んでなるカウンタートップ、まな板、シンク、バックスプラッシュ、テーブルトップ、サラダバートップ、サラダバーシールド、フードラグ区域、汚れた食器区域、食器洗浄または食器乾燥区域を設備することを含んでなり、該固体表面材料が食品の陳列、調理、供給または取扱施設に普通に存在する微生物にさらされる可能性がある食品の陳列、調理、供給または取扱いのための施設の固体表面における微生物増殖の低減方法。
【請求項２３】
（ａ）０．２５〜８．０重量％のキトサンを酸溶液中に溶解するステップと、
（ｂ）ステップ（ａ）の生成物に銀塩の溶液を添加するステップと、
（ｃ）ステップ（ｂ）の生成物に攪拌しながら水を添加するステップと、
（ｄ）塩基性溶液を添加することによって、ステップ（ｃ）の生成物のｐＨをｐＨ７〜８に上昇させるステップと、
（ｅ）ステップ（ｄ）の生成物をろ過するステップと、
（ｆ）ステップ（ｅ）で得られるろ過した固体を水で洗浄するステップと、
（ｇ）ステップ（ｆ）の固体をアセトニトリルで洗浄するステップと、
（ｈ）洗浄した固体を真空下で乾燥してキトサン−銀錯体を得るステップと、
（ｉ）場合により、ステップ（ｈ）の乾燥生成物を粉砕して微粉末にするステップ
の連続的なステップを含んでなるキトサン−銀錯体の製造方法。
【請求項２４】
請求項２３に記載の方法によって製造されるキトサン−銀錯体。
【請求項２５】
請求項２４に記載のキトサン−銀錯体を含んでなる、織物に適用するための仕上げ溶液。
【請求項２６】
請求項２４に記載のキトサン−銀錯体を含んでなるおむつ、失禁用衣料、生理用ナプキンまたはタンポン。
【手続補正２】
【補正対象書類名】明細書
【補正対象項目名】００５７
【補正方法】変更
【補正の内容】
【００５７】
０．５重量％、１．０重量％、２．０重量％、および３．０重量％の濃度のキトサン−硫酸銅粉末を含有するコーリアン（登録商標）材料の飾り板を作製し、その抗菌特性について評価した（図１５）。
なお、本発明の主たる特徴及び態様を要約すれば以下のとおりである。
１．  熱可塑性樹脂、熱硬化性樹脂、およびこれらの組み合わせから選択される樹脂のマトリックスと、マトリックス中に分散された少なくとも１種の抗菌剤とを含んでなり、抗菌剤がキトサンおよび金属、ならびにキトサンおよび金属化合物から選択される錯体を含んでなる抗菌効果を示す固体表面材料。
２．  マトリックス中に分散された少なくとも１種の充填剤を更に含んでなる上記１に記載の固体表面材料。
３．  熱可塑性樹脂がオレフィン、ジエン、ビニルポリマー、フルオロポリマー、へテロ鎖ポリマー、およびこれらの組み合わせから選択される上記１に記載の固体表面材料。
４．  熱可塑性樹脂が低密度ポリエチレン、高密度ポリエチレン、ポリプロピレン、ポリブタジエン、ネオプレン、ポリスチレン、アクリル、ポリ塩化ビニル、ポリテトラフルオロエチレン、ポリアミド、ポリエステル、ポリウレタン、ポリエーテル、ポリアセタール、ポリカーボネート、およびこれらの組み合わせから選択される上記１に記載の固体表面材料。
５．  樹脂がアクリル系モノマー溶液または共重合用ビニルモノマーとアクリル系モノマーとを含有する混合モノマー溶液中に溶解されたアクリル系ポリマーを主成分として含んでなるシロップから製造される上記１に記載の固体表面材料。
６．  熱硬化性樹脂がフェノール樹脂、アミノ樹脂、不飽和ポリエステル樹脂、エポキシ樹脂、ポリウレタン、シリコーンポリマー、およびこれらの組み合わせから選択される上記１に記載の固体表面材料。
７．  充填剤がアルミナ三水和物、アルミナ一水和物、バイヤー（Ｂａｙｅｒ）水和物、水酸化マグネシウム、炭酸カルシウム、硫酸バリウム、ならびに石英およびその他の形態のシリカよりなる群から選択される上記２に記載の固体表面材料。
８．  抗菌剤が外側表面で測定される抗菌効果を約２４時間以内に提供する量で存在する上記１に記載の固体表面材料。
９．  該金属が銀、銅、亜鉛、またはこれらの化合物である上記１に記載の固体表面材料。
１０．  アルミナ三水和物を含んでなる充填剤を更に含んでなり、そして抗菌剤がキトサンと銀または銀化合物との錯体を含んでなる上記５に記載の固体表面材料。
１１．  シートまたは成形品の形態である上記１に記載の固体表面材料。
１２．  圧縮成形、射出成形または押出成形によって製造される上記１に記載の固体表面材料。
１３．  上記１に記載の固体表面材料を含んでなるシンク。
１４．  上記１に記載の固体表面材料を含んでなるカウンタートップ。
１５．  上記１に記載の固体表面材料を含んでなるテーブルトップ。
１６．  上記１に記載の固体表面材料を含んでなる筆記用具。
１７．  上記１に記載の固体表面材料を含んでなる壁。
１８．  該壁がバスタブまたはシャワーの要素である上記１７に記載の壁。
１９．  上記１に記載の固体表面材料を含んでなるシャワーベース。
２０．  上記１に記載の固体表面材料を含んでなる壁、シンク、化粧テーブル、カウンター、バスタブ、シャワー室またはテーブルトップを設備することを含んでなり、該固体表面材料が浴室、トイレ、または化粧室に普通に存在する微生物にさらされる可能性がある浴室、トイレ、または化粧室中の固体表面における微生物増殖の低減方法。
２１．  上記１に記載の固体表面材料を含んでなる壁、シンク、カウンタートップ、テーブル、テーブルトップ、シャワー室、またはバックスプラッシュを設備することを含んでなり、該固体表面が医療施設に普通に存在する微生物にさらされる可能性がある医療施設の固体表面における微生物増殖の低減方法。
２２．  医療施設が病院、クリニック、医療用バン、またはナーシングホームである上記２１に記載の方法。
２３．  上記１に記載の固体表面材料を含んでなるカウンタートップ、まな板、シンク、バックスプラッシュ、テーブルトップ、サラダバートップ、サラダバーシールド、フードラグ区域、汚れた食器区域、食器洗浄または食器乾燥区域を設備することを含んでなり、該固体表面材料が食品の陳列、調理、供給または取扱施設に普通に存在する微生物にさらされる可能性がある食品の陳列、調理、供給または取扱いのための施設の固体表面における微生物増殖の低減方法。
２４．  食品の調理施設が缶詰、冷凍、肉の包装、魚の包装、パンのベーキング、およびペストリーベーキングの施設よりなる群から選択される上記２３に記載の方法。
２５．  （ａ）０．２５〜８．０重量％のキトサンを酸溶液中に溶解するステップと、
（ｂ）ステップ（ａ）の生成物に銀塩の溶液を添加するステップと、
（ｃ）ステップ（ｂ）の生成物に攪拌しながら水を添加するステップと、
（ｄ）塩基性溶液を添加することによって、ステップ（ｃ）の生成物のｐＨをｐＨ７〜８に上昇させるステップと、
（ｅ）ステップ（ｄ）の生成物をろ過するステップと、
（ｆ）ステップ（ｅ）で得られるろ過した固体を水で洗浄するステップと、
（ｇ）ステップ（ｆ）の固体をアセトニトリルで洗浄するステップと、
（ｈ）洗浄した固体を真空下で乾燥してキトサン−銀錯体を得るステップと、
（ｉ）場合により、ステップ（ｈ）の乾燥生成物を粉砕して微粉末にするステップ
の連続的なステップを含んでなるキトサン−銀錯体の製造方法。
２６．  酸溶液が０．２５〜５％の酢酸水溶液であり、銀塩溶液が０．５〜２０重量％の硝酸銀水溶液であり、ステップ（ｄ）において、水酸化アンモニウムまたは置換水酸化アンモニウムの水溶液の添加によってｐＨを上昇させる上記２５に記載の方法。
２７．  上記２５に記載の方法によって製造されるキトサン−銀錯体。
２８．  上記２７に記載のキトサン−銀錯体を含んでなる、織物に適用するための仕上げ溶液。
２９．  上記２７に記載のキトサン−銀錯体を含んでなるおむつ、失禁用衣料、生理用ナプキンまたはタンポン。